(57)【要約】      （修正有）【課題】ゴルフボールの出し入れが容易で、且つラインやマークを描いている間はゴルフボールを安定して保持し、にじみやずれのない鮮明なマークを描くことのできるゴルフボール用マーキング器具を提供する。【解決手段】マーキング器具１は、ゴルフボールの直径とほぼ一致する内径を有している環状部２と、環状部２の上に配置されて、内側に半球形の空間を形成する複数の柱部３〜６と、柱部を貫通して設けられているガイド溝１１〜１４とを備えている。環状部２の内側に、ボールを支持するための複数の突起が設けられており、柱部の下方に配置された突起の両側には、複数のスリットが設けられている。【選択図】  図１
0003138076.tif 000002
【実用新案登録請求の範囲】
【請求項１】
ゴルフボールの表面に種々のラインやマークを描くために使用されるゴルフボール用マーキング器具であって、
ゴルフボールの直径とほぼ一致する内径を有している環状部と、
前記環状部の上に配置されて、内側に半球形の空間を形成する複数の柱部と、
前記柱部を貫通して設けられているガイド溝とを備えており、
前記環状部の内側に、ゴルフボールを支持するための複数の突起が設けられているとともに、前記環状部に複数のスリットが設けられていることを特徴とするゴルフボール用マーキング器具。
【請求項２】
環状部の内側に３個以上の突起が設けられており、そのうちの少なくとも２個が柱部の下方に配置されており、
当該柱部の下方に配置された突起の両側に、スリットが設けられていることを特徴とする請求項１に記載のゴルフボール用マーキング器具。
【請求項３】
柱部の板厚よりも環状部の板厚が厚く形成されており、
突起の両側に設けられているスリットは、環状部を通過して柱部の下部に到達していることを特徴とする請求項１又は２に記載のゴルフボール用マーキング器具。
【請求項４】
柱部の内側であって、ガイド溝の周縁部を形成する部分の一部に、リブが形成されており、リブによって柱部の内面とゴルフボールとの間に所定の間隔が維持されることを特徴とする請求項１乃至３に記載のゴルフボール用マーキング器具。
【請求項５】
環状部の内側に設けられている突起は、断面がコサインカーブ状に形成されており、環状部から滑らかに突出していることを特徴とする請求項１乃至４に記載のゴルフボール用マーキング器具。
【考案の詳細な説明】
【技術分野】
【０００１】
本考案は、ゴルフボールの表面に直線等のラインやマークを描くために使用されるゴルフボール用マーキング器具に関する。特に、ゴルフボールを安定して保持することが可能で、しかもマークを描いた後は容易にボールを取り出すことのできるゴルフボール用マーキング器具に関する。
【背景技術】
【０００２】
ゴルフでは、目標物とゴルフボールとを結ぶ仮想線に対して、体の向きがスクエア（平行）となるように構えてボールを打つことが基本とされている。そこで、ゴルフボールに直線等の種々のラインやマークを記入することが、従来から行われている。ティショットやパッティングの際には、ゴルフボールに描かれたラインやマークを目標物に向けて置くことで、正しい打撃方向を向いて構えるための目安とすることができる。
【０００３】
ボールに打撃方向の目安となるマークを描くための、ボール用マーキング器具が種々提案されている。特許文献１には、ゴルフボールに十字状模様を描くために中央に十文字のガイド溝が形成された半球形の器具が開示されている。又、特許文献２には、２本の持ち手部分の間に、ボールに沿うような曲面形状を有する主部が設けられたゴルフボールのマーキング手段が開示されている。特許文献２のマーキング手段の主部の中央には、マークを描くためのガイド溝が形成されている。これらのマーキング手段を利用することによって、ゴルフボールに対して非常に容易に直線やその他の模様のマークを描くことが可能となる。
【０００４】
又、特許文献３に記載されるように、ボールに自分のイニシアル等を記入して、他人のボールと区別することを目的とする、マーキングのための器具が知られている。
【特許文献１】実開昭６１−４５９６４号公報
【特許文献２】米国特許公報第６，２１６，５８７号公報
【特許文献３】実開昭６３−９３９６３号公報
【０００５】
しかしながら特許文献１及び特許文献３の器具は、器具がボールを面で支持することになり、マークを描いている最中に、器具に対してボールが回転してずれてしまう恐れがあった。一方、特許文献２のマーキング手段についても、マークを描く際にボールを支持する位置が実質的には両側の円筒状の持ち手部分となるため、マークを描いている最中にマーキング手段がずれてしまう恐れがあった。
【考案の開示】
【考案が解決しようとする課題】
【０００６】
本考案は、上記技術の問題点に鑑みてなされたものであって、ラインやマークを描く間にマーキング器具に対してゴルフボールが回転する恐れがなく、ゴルフボールを非常に安定して保持することが可能であり、しかもゴルフボールの出し入れが非常に容易であるゴルフボール用マーキング器具を提供するものである。
【課題を解決するための手段】
【０００７】
請求項１の考案は、ゴルフボールの表面に種々のラインやマークを描くために使用されるゴルフボール用マーキング器具に関する。本考案のマーキング器具は、ゴルフボールの直径とほぼ一致する内径を有している環状部と、環状部の上に配置されて、内側に半球形の空間を形成する複数の柱部と、柱部を貫通して設けられているガイド溝とを備えている。このマーキング器具は、環状部の内側に、ゴルフボールを支持するための複数の突起が設けられており、環状部に複数のスリットが設けられていることを特徴とする。
【０００８】
本考案のゴルフボール用マーキング器具は、環状部の内側の複数の突起がゴルフボールを支持することにより、ガイド溝に沿ってボールにマークを描いている際にも、ゴルフボールに対してマーキング器具がずれる恐れがない。一方で、マーキング器具にゴルフボールを挿入する時には、環状部に設けられた複数のスリットが拡がるので、ボールは容易にマーキング器具に挿入されて突起によって支持される。ボールをマーキング器具から取り出すときには、柱部と柱部の間の開口部からボールを押してボールを外側に向かって移動させることができ、この際も環状部に設けられた複数のスリットが拡がることで、ゴルフボールを容易に取り出すことができる。
【０００９】
しかも、このような複数の突起と複数のスリットを備えることにより、本考案のゴルフボール用マーキング器具は、ゴルフボールのディンプルの大きさが異なる場合であっても、これらのボールを安定して支持することができる。即ち、本考案のマーキング器具の突起は、ディンプルの大小を問わず安定した状態で接触することができ、ゴルフボールのずれや回転を規制して支持することができる。
【００１０】
請求項２の考案のゴルフボール用マーキング器具は、環状部の内側に３個以上の突起が設けられており、そのうちの少なくとも２個が柱部の下方に配置されており柱部の下方に配置された突起の両側に、スリットが設けられていることを特徴とする。
【００１１】
本考案のマーキング器具は、３個以上の突起を備えている。少なくとも３個の突起がゴルフボールの表面に接触してこれを保持することが可能であるので、ゴルフボールはマーキングを行う間、常に安定して保持される。
【００１２】
ここで、少なくとも２個の突起が柱部の下方に配置されており、柱部の下方に配置された突起の両側にスリットが設けられていることにより、スリットから柱部までに充分な距離が確保され、これによってマーキング器具は充分な強度を確保することができる。又、ボールをマーキング器具に出し入れするときには、スリットが広がると同時に、柱部の下方のスリットに挟まれた環状部が外側に向かって変形するので、ボールは環状部を滑らかに通過することができ、マーキング器具へのボールの出し入れは一層容易となっている。
【００１３】
請求項３の考案のマーキング器具は、柱部の板厚よりも環状部の板厚が厚く形成されており、突起の両側に設けられているスリットは、環状部を通過して柱部の下部に到達していることを特徴とする。スリットが板厚の薄い柱部にまで伸びることで、ボールをマーキング器具に出し入れするときには、スリットが拡がると同時に、スリットとスリットの間に位置する環状部が一層柔軟に外側に向かって変形することができるので、ボールは更に出し入れが容易になる。
【００１４】
請求項４の考案のマーキング器具は、柱部の内側であってガイド溝の周縁部を形成する部分の一部にリブが形成されており、リブによって柱部の内面とボールとの間に所定の間隔が維持されることを特徴とする。柱部の内面とボールとの間に間隔が空くことで、ガイド溝に沿って筆記具でボールにマークを記入する時に、インクがマーキング器具を伝ってにじみだしてボールを汚してしまうことを防止できる。
【００１５】
請求項５の考案のマーキング器具は、環状部の内側に設けられている突起の断面がコサインカーブ状に形成されており、環状部から滑らかに突出していることを特徴とする。
【００１６】
尚、ここでいうコサインカーブとは、特にθが０〜πまでのコサインカーブをいう。即ち、突起の断面形状の輪郭は、環状部の内側の曲面から、下に凸の曲線がなだらかに立ち上がり、その上に凸のほぼ半円形又は放物線状の上部がなだらかに連なる形状となっている。このように、突起が環状部から滑らかに突出していることにより、ゴルフボールのディンプルと突起がひっかかることがなく、この結果ボールを無理なく安定した状態で保持することが出来る。又、ゴルフボールの出し入れ時には、ゴルフボールの表面を突起が滑らかに移動することができるので、ゴルフボールの出し入れが更に容易となる。
【考案の効果】
【００１７】
本考案により、ゴルフボールを安定して保持し、種々のラインやマークを書く間にゴルフボールがマーキング器具に対してずれる恐れのないゴルフボール用マーキング器具が提供される。
【００１８】
本考案により、ディンプルの大きさが異なる種々のゴルフボールを安定して保持し、しかもゴルフボールを容易に出し入れすることのできるゴルフボール用マーキング器具が提供される。
【００１９】
本考案により、ガイド溝に沿ってマークを描く場合であっても、インクのにじみ出しによりゴルフボールを汚す恐れのないゴルフボール用マーキング器具が提供される。
【実施例】
【００２０】
以下、本考案のゴルフボール用のマーキング器具の実施例を、図面を参照しつつ詳細に説明する。
【００２１】
図１は本実施例のゴルフボール用マーキング器具１を前方から見た斜視図であり、図２はマーキング器具１を後方から見た斜視図である。マーキング器具１は、環状部２と、そこから立ち上がるように延びて、内側に直径約４３ｍｍの半球形の空間を形成する４本の柱部３，４，５，６を備えている。柱部３，４，５，６は互いに直交するように配置されている。環状部２の板厚が２．６ｍｍであるのに対して、柱部３，４，５，６の板厚は２．３ｍｍとなっており、環状部２よりも柱部３，４，５，６が相対的に薄く形成されている。柱部３，４，５，６の上部は連結して一体化しており、隣り合う柱部との間に４つの開口部７が形成されている。
【００２２】
本実施例のマーキング器具１は、ポリカーボネート樹脂で形成されており、強度に非常に優れていると同時に透明である。これにより、ユーザは、ゴルフボールをマーキング器具１の中に収容した場合に、ボールに当初から記載されている商品名や数字をマーキング器具１を通して透かし見て確認することができる。そこでユーザは、ゴルフボールに当初から記載されている商品名や数字で位置合わせを行って、マークを所望する位置に非常に容易に描くことができる。しかも、マーキング器具１は高強度であるので、ユーザが力を加えて位置合わせを行った場合でもひずむ恐れがなく、記入したいマークを常に変形させることがなく、美しく描くことができる。
【００２３】
柱部３，４，５，６を貫通して、ガイド溝が設けられている。ペン等の筆記具をガイド溝に挿入して動かすことにより、ゴルフボールにガイド溝の形状に倣ったマークを記入することが出来る。Ｖ字型のガイド溝１１が、柱部３の下部に設けられている。最も長い直線上のガイド溝１２が、柱部３の中央付近から上部を通過して、柱部４の下部に延びている。ガイド溝１３，１４は、それぞれ柱部５，６を貫通しており、ガイド溝１２に対して垂直になるように設けられている。それぞれのガイド溝において、貫通している部分の幅はすべて２．０ｍｍに形成されており、市販されている種々の筆記具の先端を通過させることができる。
【００２４】
図３は、マーキング器具１を下方から見た斜視図である。環状部２の内側には、６個の突起１５が等間隔に設けられている。突起１５のうちの２個は、環状部２において柱部５，６の下方にあたる位置にそれぞれ設けられている。柱部５，６の下方に設けられている突起１５には、両側に１本ずつ合計４本のスリット１６が設けられている。スリット１６は１．０ｍｍ幅で形成されており、全て環状部２を貫通して柱部５又は柱部６の下部に到達している。
【００２５】
図４は、突起１５の側面図である。本実施例における突起１５は、下に凸の半径１．５ｍｍの円弧状の断面形状を有する部分が、環状部２の内側の面からなだらかに立ち上がり、またなだらかに下に凸の半径１．５ｍｍの円弧状で低くなっていき環状部２の内側の面に接している。その上部に、半径１．５ｍｍの半円形の断面形状を有する部分が形成されている。上部の半円状の断面を有する部分は、下に凸の円弧部分になだらかに連なっており、全体としてθが０〜πまでのコサインカーブ状の断面を有している。全ての突起１５が環状部２から滑らかに突出した形状を有していることにより、ゴルフボールの出し入れ時に突起がゴルフボールのディンプルにひっかかる恐れがない。この結果、ゴルフボールの出し入れがスムーズ且つ容易であると同時に、突起１５は無理なく安定した状態でゴルフボールを支持することができる。
【００２６】
図５は、図２のＶ−Ｖ線断面図である。マーキング器具１の柱部３，４，５，６の内側には、ガイド溝の周縁部を形成する直線状の部分の一部に、一定の高さのリブ１７が形成されている。同様のリブ１７は、開口部７の周縁部を形成する直線状の部分の一部にも設けられている。リブ１７によって柱部３，４，５，６の内面と、ボールとの間に所定の間隔が維持される。
【００２７】
図６に、ゴルフボール２０を挿入した状態でのマーキング器具１の断面図を示す。マーキング器具１の内側の空間の直径が約４３ｍｍとなっており、直径が４２．６７ｍｍ以上という規格で製造されているゴルフボールの大半を内部に収容することが可能である。マーキング器具１は、少なくとも３個の突起１５がゴルフボール２０を支持している。又、柱部３，４，５，６によって規定される内側の半球形の空間の内径と、ゴルフボール２０の直径がほぼ一致している場合には、リブ１７の大部分がゴルフボール２０と接している。万一、ゴルフボール２０の直径がマーキング器具１の内径よりも大きな場合は、スリット１６の幅が拡がり、且つスリット１６とスリット１６の間に位置する環状部２が外側に変形してゴルフボール２０を支持する一方で、リブ１７とゴルフボール２０の接する面積は減少する。
【００２８】
ゴルフボール２０をマーキング器具１に挿入するときには、それぞれのスリット１６が拡がると同時に、柱部５，６の下方のスリット１６とスリット１６の間に位置する環状部２が外側に向かって変形して、ゴルフボール２０は容易にマーキング器具１に挿入される。一旦挿入されたゴルフボール２０は、マーキング器具１に対する回転が規制された状態で安定して支持される。この結果、マークを描く間ゴルフボール２０に対するマーキング器具１の相対位置が変化する恐れがなく、正確なマークを描くことが可能である。
【００２９】
マーキング器具１からゴルフボール２０をはずす時は、開口部７からゴルフボール２０を直接指で押して取り出すことができる。ゴルフボール２０を取り出す時には、ゴルフボール２０を挿入するときと同様、それぞれのスリット１６が拡がると同時に、柱部５，６の下方のスリット１６とスリット１６の間に位置する環状部２が外側に向かって変形して、ゴルフボール２０は容易にマーキング器具１から押し出される。
【００３０】
ガイド溝１１，１２，１３，１４又は開口部７に筆記具を挿入し、これらの縁部を倣うことで、ゴルフボールの表面にマークを記入することができる。柱部３，４，５，６の内側のガイド溝と開口部７の周縁部を形成する部分の一部にリブ１７が設けられており、ゴルフボール２０に接した状態となっていることによって、柱部３，４，５，６とゴルフボール２０との間にはリブの高さと同等以上の間隔が空いている。この間隙によって、マークを描く際に筆記具のインクがマーキング器具１を伝ってボールを汚してしまうことが防止される。又、本実施例におけるガイド溝１１，１２，１３，１４は、全て独立しており、他の溝と交差する部分がないために、交差部分のにじみや線のずれがなく、より美しく鮮明なマークを描くことが可能となっている。
【００３１】
図７に、マーキング器具１によってゴルフボール２０に描くことのできるマークの例を挙げる。図７（ａ）は、ガイド溝１１とガイド溝１２とを用いて描くことのできる矢印マークであって、目標物に向かった仮想線を非常にわかりやすく表示するものである。図７（ｂ）は、ガイド溝１１〜１４を用いて描くことのできるマークであって、矢印とこれに直交する直線で構成されており、目標に対してスクエアに構え易くなるマークである。図７（ｃ）は、ガイド溝１１，１２と開口部７の縁部を用いて描くことのできるマークであって、矢印とこれに平行な直線で構成されており、より目標に対してゴルフボール２０を合わせやすくなるマークである。図７（ｄ）は、ガイド溝１１〜１４と開口部７の縁部を用いて描くことのできるマークであって、上記の図７（ａ）〜（ｃ）の全ての作用効果を併せ持ったマークである。又、これらのうち特に強調したいマークのみ、色を変更して描くことで、一層高い効果を得ることが可能である。
【００３２】
以上、実施例において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば、実施例におけるマーキング器具は、柱部の数を等間隔に４本設けたものについて記載したが、記載したいマークの形状に合わせてこの本数と配置を適宜変更することができる。又、実施例では突起を６個配置し、そのうちの２個を柱部の下方に配置したものについて詳細な説明を行ったが、突起の数を増減させたり、柱部の下方の位置に配置する突起の数をより増やすことが可能である。又、環状部に設けるスリットの数を増やし、より短いスリットを多数配置することも可能である。
【産業上の利用可能性】
【００３３】
本願のマーキング器具は、ゴルフボールのほか、パークゴルフのボールなど各種のボールに適用が可能である。又、文房具、玩具、雑貨などの球形の面にマークを描くために適用することができる。
【図面の簡単な説明】
【００３４】
【図１】実施例のゴルフボールのマーキング器具１を前方から見た斜視図である。
【図２】実施例のマーキング器具１を後方から見た斜視図である。
【図３】実施例のマーキング器具１を下方から見た斜視図である。
【図４】実施例の突起１５の側面図である。
【図５】図２のＶ−Ｖ線断面図である。
【図６】実施例のマーキング器具１にゴルフボール２０を挿入した状態での断面図である。
【図７】実施例のマーキング器具１で描くことのできるマークの例を示す図である。
【符号の説明】
【００３５】
１      マーキング器具
２      環状部
３，４，５，６    柱部
７      開口部
１１，１２，１３，１４      ガイド溝
１５    突起
１６    スリット
１７    リブ
２０    ゴルフボール
【図１】
0003138076.tif 000003
【図２】
0003138076.tif 000004
【図３】
0003138076.tif 000005
【図４】
0003138076.tif 000006
【図５】
0003138076.tif 000007
【図６】
0003138076.tif 000008
【図７】
0003138076.tif 000009